(57)【要約】【課題】オムツ本体の長手方向端部に沿って配置された一対のサイドフラップの側縁に設けられた締結手段による引っ張り力を腰周り方向と脚周り方向に効果的に分散させることのできる使い捨てオムツを提供する。【解決手段】トップシートと、バックシートと、これらシートに内包される吸収体とからなるオムツ本体と、このオムツ本体の長手方向端部に沿って配置された一対のサイドフラップと、各サイドフラップの側縁に設けられた締結手段と、を有する使い捨てオムツにおいて、サイドフラップが、締結手段が設けられた側縁と相対する側縁をオムツ本体に固定する固定部と、この固定部より幅方向外側で側縁上端域および側縁下端域のいずれか１箇所以上をオムツ本体の側縁近傍に接合する接合部とで取付けられたものとする。これにより、オムツを引っ張る力がそれぞれの接合部に分散され、腰周りまたは脚周りに効果的に作用することになる。【選択図】  図１
2004174210.tif 000002
【特許請求の範囲】
【請求項１】
トップシートと、バックシートと、これら両シートに内包される吸収体とからなるオムツ本体と、該オムツ本体の長手方向端部に沿って配置された一対のサイドフラップと、各サイドフラップの側縁に設けられた締結手段と、を有する使い捨てオムツにおいて、
前記サイドフラップは、前記締結手段が設けられた側縁と相対する側縁をオムツ本体に固定する固定部と、該固定部よりオムツ本体の幅方向外側で側縁上端域および側縁下端域のいずれか１箇所以上をオムツ本体の長手方向の側縁近傍に接合する接合部と、で取付けられたものである使い捨てオムツ。
【請求項２】
前記接合部は、該サイドフラップの側縁上端域に位置する第１接合部と側縁下端域に位置する第２接合部とからなり、それぞれの接合部は同一の長さ寸法のものである請求項１に記載の使い捨てオムツ。
【請求項３】
前記接合部は、該サイドフラップの側縁上端域に位置する第１接合部と側縁下端域に位置する第２接合部とからなり、前記第１接合部の長さが前記第２接合部の長さよりも短い寸法のものである請求項１に記載の使い捨てオムツ。
【請求項４】
前記接合部は、該サイドフラップの側縁上端域に位置する第１接合部と側縁下端域に位置する第２接合部とからなり、前記第１接合部の長さが前記第２接合部の長さよりも長い寸法のものである請求項１に記載の使い捨てオムツ。
【請求項５】
前記接合部は、該サイドフラップの側縁上端域に位置する第１接合部と側縁下端域に位置する第２接合部とからなり、前記第１接合部の前記締結手段側側縁が前記第２接合部の前記締結手段側側縁よりも前記固定部側に配置されている請求項１に記載の使い捨てオムツ。
【請求項６】
前記接合部は、該サイドフラップの側縁上端域に位置する第１接合部と側縁下端域に位置する第２接合部とからなり、前記第２接合部の前記締結手段側側縁が前記第１接合部の前記締結手段側側縁よりも前記固定部側に配置されている請求項１に記載の使い捨てオムツ。
【請求項７】
前記接合部および前記固定部は、熱的手法で接合・固定されたものである請求項１から６いずれか記載の使い捨てオムツ。
【請求項８】
前記サイドフラップは、伸縮性を有するシートで構成されたものである請求項１から７いずれか記載の使い捨てオムツ。
【請求項９】
前記伸縮性を有するシートは、伸縮性シートと伸縮性不織布とで構成されたものである請求項８に記載の使い捨てオムツ。
【請求項１０】
前記締結手段は、前記サイドフラップの側縁の上下方向のほぼ中央部に配置されたものである請求項１から９いずれか記載の使い捨てオムツ。
【請求項１１】
使い捨てオムツのオムツ本体と他の部材とを接合する接合部を所定の箇所に備えさせることによってオムツを装着したときの腰周りおよび脚周りのフィット性を調整する方法。
【請求項１２】
オムツ本体の長手方向端部に沿ってサイドフラップの側縁を固定して、該固定部より前記オムツ本体の幅方向外側で、サイドフラップの側縁上端域および側縁下端域のいずれか１個所以上を前記オムツ本体と接合させることで、オムツを装着したときの腰周りおよび脚周りのフィット性を向上させる方法。
【請求項１３】
オムツ本体の長手方向端部に沿ってサイドフラップの側縁を固定して、該固定部より前記オムツ本体の幅方向外側で、サイドフラップの側縁上端域および側縁下端域のいずれか１個所以上を前記オムツ本体と接合させる使い捨てオムツにおいて、
前記サイドフラップの側縁上端域に位置する第１接合部と前記側縁下端域に位置する第２接合部の長さ寸法を調整して、オムツを装着したときの腰周りおよび脚周りのフィット性を調整する方法。
【請求項１４】
オムツ本体の長手方向端部に沿ってサイドフラップの側縁を固定して、該固定部より前記オムツ本体の幅方向外側で、サイドフラップの側縁上端域および側縁下端域のいずれか１個所以上を前記オムツ本体と接合させる使い捨てオムツにおいて、
前記サイドフラップの側縁上端域に位置する第１接合部と前記側縁下端域に位置する第２接合部の前記オムツ本体の幅方向における固定位置を調整して、オムツを装着したときの腰周りおよび脚周りのフィット性を調整する方法。
【発明の詳細な説明】
【０００１】
【発明の属する技術分野】
本発明は、テープ止めタイプの使い捨てオムツに関し、より詳しくは、オムツ本体の長手方向端部に沿って配置された一対のサイドフラップの側縁に設けられた１対の締結手段による引っ張り力を、腰周り方向と脚周り方向に効果的に分散する使い捨てオムツに関する。
【０００２】
【従来の技術】
一般に使用されている使い捨てオムツは、トップシートとバックシートの間に着用した際に着用者の股間部を覆うように配置される吸収体と、吸収体の長手方向端部に沿って使い捨てオムツの腰周りに配置された一対のサイドフラップ部と、各サイドフラップ部の側縁に設けられた締結手段を備えて構成されている。
【０００３】
上記使い捨てオムツは、使用に際して、オムツ本体を通常の方法で着用者に装着し、サイドフラップ部に設けた締結手段で反対側の使い捨てオムツの腰周りに止着して着用者に取り付けるようにしている。この使い捨てオムツにおいては、着用者に装着した際に、着用者の腰周りと脚周りの両方でフィットし、着用時に、脚部および腰部からの液洩れを防止することが要求される。
【０００４】
しかしながら、１本の締結手段をサイドフラップ部の側縁に設けた形式の使い捨てオムツでは、オムツ本体を着用者に装着する際に、締結手段の引っ張り力を着用者の腰周りと脚周りの両方に効果的に集中させることは困難であった。すなわち、使い捨てオムツを着用者の腰周りにぴったりフィットするように取付けると脚周りに隙間ができてしまい、使用中に脚部から液洩れが生じることがあり、また、これとは反対に、着用者の脚周りにフィットするように取付けると着用者の腰周りに隙間ができてしまい、着用者の腰周りにぴったりフィットできないという難点があった。
【０００５】
このような課題を解決するため、例えば特許文献１に記載したものがある。
【０００６】
この特許文献１は、耳部の周辺部分を除いた領域に設けられた一本の締結手段と、一対の端縁と、縦方向中心線と、横方向中央線を有する使い捨てオムツにおいて、上記耳部の周辺部分を除いた領域に周辺部分より引っ張り応力が小さい応力緩和区域を設け、使い捨てオムツの縦方向中心線と一方端縁の交点である使い捨てオムツの一方端縁の一部から応力緩和区域に接する第１線が耳部の側縁と交わる交点より上記一方端縁側に位置する耳部側縁を第１側縁領域とし、使い捨てオムツの横方向中心線側の耳部端縁の一部から応力緩和区域に接する第２線が耳部の側縁と交わる点より上記横方向中心線に位置する耳部側縁を第２側縁領域とし、締結手段が、少なくとも第１側縁領域の一部と第２側縁領域の一部に重なるように取り付けられていることによって、締結手段の引っ張り力を使い捨てオムツの脚周りと腰周りに効果的にしかも直接的に集中させることができる位置に取り付けられた締結手段を有する使い捨てオムツを提供するものである。
【０００７】
【特許文献１】
特許公報第３１６２５９２号公報（１２頁、１図）
【０００８】
【発明が解決しようとする課題】
しかしながら、このような従来例にあっては、耳部の周辺部分を除いた領域に周辺部分より引っ張り応力が小さい応力緩和区域を設け、締結手段の引っ張り応力を使い捨てオムツの脚周りと腰周りに効果的に、しかも直接的に集中させることができる位置に取り付けられた締結手段を有する構成であるので、周辺部分より引っ張り応力が小さい応力緩和区域は、装着者の身体へのフィット性が悪く隙間ができる。また、応力緩和するための手段であるエンボス、スリット、開孔等を応力緩和区域に設けるということは装着者に対して肌触りが悪くなる、審美性が悪くなる等の影響を及ぼす。また、締結手段が接合されていない領域の第１側縁領域は、装着時に締結手段に加わる応力が伝達されないため、装着中にめくれて不具合を生じるといった不都合があった。
【０００９】
本発明は以上のような課題に鑑みてなされたものであり、その目的は、オムツ本体の長手方向端部に沿って配置させた一対のサイドフラップの側縁に設けられた締結手段による引っ張り力を腰周り方向と脚周り方向に効果的に分散させることのできる使い捨てオムツを提供することにある。
【００１０】
【課題を解決するための手段】
以上のような課題を解決するために、本発明においては、別体のサイドフラップをオムツ本体に固定する際に、オムツ本体とサイドフラップとを固定する固定部の他に、該固定部の近傍にサイドフラップの側縁上端域と、側縁下端域で部分的に接合・固定させることにより、締結手段の引っ張り力を使い捨てオムツの脚周りまたは腰周りに効果的に、かつ直接的に集中させることができることを見出して本発明を完成させた。
【００１１】
より具体的には、本発明においては以下のようなものを提供する。
【００１２】
（１）  トップシートと、バックシートと、これら両シートに内包される吸収体とからなるオムツ本体と、該オムツ本体の長手方向端部に沿って配置された一対のサイドフラップと、各サイドフラップの側縁に設けられた締結手段と、を有する使い捨てオムツにおいて、前記サイドフラップは、前記締結手段が設けられた側縁と相対する側縁をオムツ本体に固定する固定部と、該固定部よりオムツ本体の幅方向外側で側縁上端域および側縁下端域のいずれか１箇所以上をオムツ本体の長手方向の側縁近傍に接合する接合部と、で取付けられたものである使い捨てオムツを提供する。
【００１３】
本発明によれば、サイドフラップは、一方の側縁がオムツ本体のレッグギャザーの延長線上あるいはその近傍にヒートシール、ソニックシール、ホットメルト接着剤等で接合して固定されている。また、この固定部よりオムツ本体の幅方向外側で、サイドフラップの側縁上端域および側縁下端域が少なくとも１箇所以上をオムツ本体の側縁またはその近傍でヒートシール、ソニックシール、ホットメルト接着剤等で加熱・圧縮といった熱的手法により接合されている。そして、該サイドフラップの他方の側縁には締結手段が設けられている。ここで、サイドフラップの側縁上端域とは、サイドフラップの上方の側縁（固定部や締結手段が設けられていない側縁で上方に位置する側縁）側の領域を意味し、側縁下端域とは、サイドフラップの下方の側縁（固定部や締結手段が設けられていない側縁で下方に位置する側縁）側の領域を意味する。
【００１４】
このような構成にすることにより、オムツ本体とサイドフラップとは、固定部によって一体化されると共に、この固定部よりオムツ本体の幅方向外方で部分的に接合された接合部を有するので、サイドフラップに設けられた締結手段を外方に引っ張った際に、サイドフラップの側縁上端域の接合部に連動する引っ張り力と側縁下端域の接合部に連動する引っ張り力とに分かれて、それぞれに分かれた引っ張り力がオムツの腰周りと脚周りを引っ張ることになる。この際、この引っ張り力の分散割合を適宜設定することにより、分散される力が変わってくる。このため、着用者がオムツを装着した際に、腰周りおよび脚周りがそれぞれ分解された引っ張り力で引っ張られるので、この分散した引っ張り力の差異により、着用者の腰周りおよび脚周りにいずれかがよりフィットするように調整できることになる。
【００１５】
尚、この引っ張り力の分解割合はサイドフラップに設ける締結手段の位置や接合部の長さまたは位置を変えることにより適宜設定することができる。すなわち、締結手段をサイドフラップの上下方向の中央に設けることで、サイドフラップの側縁上端域に連動する力と側縁下端域に連動する力はほぼ均等に分解されるが、締結手段を設ける位置が中央より上部になるにつれて、サイドフラップの側縁上端域に分散する力の割合が大きくなる。また、逆に下部になるに従って、側縁下端域に分散する力の割合が大きくなる。また、接合部の長さが長い方が分散する力の割合は大きくなる。更に、接合部のオムツ本体の幅方向における接合部の位置を変えることにより、締結手段と接合部との距離が短い方が分散する力の割合が大きくなる。このため、締結手段の設置位置や接合部の長さあるいは位置等は、所要とする目的により適宜設定すればよい。
【００１６】
また、サイドフラップは、不織布で構成されており、伸縮性の有るもの、または無いものいずれであってもよいが、着用した際の腰周りの調整が可能である点から伸縮性を有するものが好ましい。
【００１７】
（２）  前記接合部は、該サイドフラップの側縁上端域に位置する第１接合部と側縁下端域に位置する第２接合部とからなり、それぞれの接合部は同一の長さ寸法のものである（１）に記載の使い捨てオムツを提供する。
【００１８】
本発明によれば、サイドフラップとオムツ本体との接合部は、該サイドフラップの側縁上端域および側縁下端域で同じ長さであるので、締結手段を引っ張った際に、その引っ張り力はサイドフラップの側縁上端域と側縁下端域にほぼ均等に分解され、腰周りおよび脚周りがほぼ均等に引っ張られるので、オムツの腰周り、脚周りいずれもが着用者の腰周りおよび脚周りに同程度にフィットすることになる。尚、接合部の長さを変えることにより、分散される力を変えることができるので、腰周りと脚周りの引っ張り力を適宜変えることが可能となる。ここで、接合部の長さとは、接合部の上下方向（オムツ本体の長手方向）の寸法を意味する。
【００１９】
（３）  前記接合部は、該サイドフラップの側縁上端域に位置する第１接合部と側縁下端域に位置する第２接合部とからなり、前記第１接合部の長さが前記第２接合部の長さよりも短い寸法のものである（１）に記載の使い捨てオムツを提供する。
【００２０】
本発明によれば、サイドフラップとオムツ本体との接合部は、サイドフラップの側縁上端域に位置する第１接合部と側縁下端域に位置する第２接合部からなり、第１接合部の長さが第２接合部の長さよりも短い寸法であるので、締結手段を引っ張った際に、その引っ張り力の分解割合はサイドフラップの側縁下端域の方が側縁上端域より大きくなり、脚周りが腰周りより効果的に、且つ集中的に引っ張られるので、着用者の脚周りがよりフィットすることになる。
【００２１】
（４）  前記接合部は、該サイドフラップの側縁上端域に位置する第１接合部と側縁下端域に位置する第２接合部とからなり、前記第１接合部の長さが前記第２接合部の長さよりも長い寸法のものである（１）に記載の使い捨てオムツを提供する。
【００２２】
本発明によれば、サイドフラップとオムツ本体との接合部は、サイドフラップの側縁上端域に位置する第１接合部と側縁下端域に位置する第２接合部からなり、第１接合部の長さが第２接合部の長さよりも長い寸法であるので、締結手段を引っ張った際に、その引っ張り力の分解割合はサイドフラップの側縁上端域の方が側縁下端域より大きくなり、腰周りが脚周りより効果的に、且つ集中的に引っ張られるので、着用者の腰周りがよりフィットすることになる。
【００２３】
このように、サイドフラップの側縁上端域に位置する第１接合部と側縁下端域に位置する第２接合部との長さを任意に可変させることにより、腰周りおよび脚周りに連動するサイドフラップの引っ張り応力をコントロールすることが可能となる。
【００２４】
（５）  前記接合部は、該サイドフラップの側縁上端域に位置する第１接合部と側縁下端域に位置する第２接合部とからなり、前記第１接合部の前記締結手段側側縁が前記第２接合部の前記締結手段側側縁よりも前記固定部側に配置されている（１）に記載の使い捨てオムツを提供する。
【００２５】
本発明によれば、サイドフラップとオムツ本体との接合部は、サイドフラップの側縁上端域に位置する第１接合部の締結手段側側縁がサイドフラップの側縁下端域に位置する第２接合部の締結手段側側縁よりもサイドフラップとオムツ本体との固定部側に配置されているので、サイドフラップの側縁上端域に位置する第１接合部と締結手段との間の有効長がサイドフラップの側縁下端域に位置する第２接合部と締結手段との間の有効長よりも長くなる。これにより、締結手段を引っ張った際に、その引っ張り力の分解割合はサイドフラップの側縁下端域の方が側縁上端域より大きくなり、脚周りが腰周りより効果的に、且つ集中的に引っ張られるので、着用者の脚周りがよりフィットすることになる。
【００２６】
ここで、第１接合部と締結手段との間の有効長とは、サイドフラップの第１接合部から締結手段までの寸法を意味し、第２接合部と締結手段との間の有効長とは、サイドフラップの第２接合部から締結手段までの寸法を意味する。
【００２７】
（６）  前記接合部は、該サイドフラップの側縁上端域に位置する第１接合部と側縁下端域に位置する第２接合部とからなり、前記第２接合部の前記締結手段側側縁が前記第１接合部の前記締結手段側側縁よりも前記固定部側に配置されている（１）に記載の使い捨てオムツを提供する。
【００２８】
本発明によれば、サイドフラップとオムツ本体との接合部は、サイドフラップの側縁下端域に位置する第２接合部の締結手段側側縁がサイドフラップの側縁上端域に位置する第１接合部の締結手段側側縁よりもサイドフラップとオムツ本体との固定部側に配置されているので、サイドフラップの側縁上端域に位置する第１接合部と締結手段のとの間の有効長がサイドフラップの側縁下端域に位置する第２接合部と締結手段のとの間の有効長よりも短くなる。これにより、締結手段を引っ張った際に、その引っ張り力の分解割合はサイドフラップの側縁上端域の方が側縁下端域より大きくなり、腰周りが脚周りより効果的に、且つ集中的に引っ張られるので、着用者の腰周りがよりフィットすることになる。
【００２９】
（７）  前記接合部および前記固定部は、熱的手法で接合・固定されたものである（１）から（６）いずれか記載の使い捨てオムツを提供する。
【００３０】
オムツ本体とサイドフラップとの接合・固定は、ヒートシール、ソニックシール、ホットメルト接着剤等の加熱・圧着による熱的手法により行われる。このため、接合が短時間ででき、作業も容易であるので、作業性・生産性に優れることになる。
【００３１】
（８）  前記サイドフラップは、伸縮性を有するシートで構成されたものである（１）から（７）いずれか記載の使い捨てオムツを提供する。
【００３２】
本発明によれば、サイドフラップは伸縮性を有するので、オムツを装着する際に腰周りの寸法が調整できるため、着用者の腰周りに一層フィットする。
【００３３】
（９）  前記伸縮性を有するシートは、伸縮性シートと伸縮性不織布とで構成されたものである（８）に記載の使い捨てオムツを提供する。
【００３４】
（１０）  前記締結手段は、前記サイドフラップの側縁の上下方向のほぼ中央部に配置されたものである（１）から（９）いずれか記載の使い捨てオムツを提供する。
【００３５】
本発明によれば、締結手段はサイドフラップの側縁で上下方向のほぼ中央に配置されているので、締結手段を引っ張った際に、サイドフラップの上下のいずれか一方に偏ることなく、サイドフラップの第１接合部および第２接合部の長さの差異、第１接合部と締結手段との間の有効長および第２接合部と締結手段との間の有効長の差異による引っ張り応力の分解が最も効果的に作用されることになる。
【００３６】
（１１）  使い捨てオムツのオムツ本体と他の部材とを接合する接合部を所定の箇所に備えさせることによってオムツを装着したときの腰周りおよび脚周りのフィット性を調整する方法を提供する。
【００３７】
本発明によれば、オムツを引っ張った際に、その引っ張り力はオムツ本体と他の部材との接合部の部分に集中的に作用して、腰周りまたは脚周りを効果的に集中して引っ張ることになるので、この接合部を所定の箇所に備えさせることにより、腰周りまたは脚周りのフィット性を調整できることになる。例えば、他の部材をオムツ本体の長手方向端部に沿って設けたサイドフラップとして、接合部をサイドフラップの側縁上端域に備えた場合には、脚周りよりも腰周りが集中的に引っ張られるので腰周りがよりフィットすることになる。また、接合部をサイドフラップの側縁下端域に備えた場合には、腰周りよりも脚周りが集中的に引っ張られるので脚周りがよりフィットすることになる。一方、接合部を備えない場合には、引っ張り力はサイドフラップの側縁上端域から側縁下端域にかけて全体的に分散されて腰周りおよび脚周りを引っ張ることになるので、腰周りおよび脚周りのフィット性は略同じようになる。このように、他の部材と接合する接合部を備えさせることにより、腰周りまたは脚周りのフィット性を調整できる。
【００３８】
（１２）  オムツ本体の長手方向端部に沿ってサイドフラップの側縁を固定して、該固定部より前記オムツ本体の幅方向外側で、サイドフラップの側縁上端域および側縁下端域のいずれか１個所以上を前記オムツ本体と接合させることで、オムツを装着したときの腰周りおよび脚周りのフィット性を向上させる方法を提供する。
【００３９】
本発明によれば、サイドフラップの側縁に設けられた締結手段を引っ張った際の引っ張り力は、サイドフラップの側縁上端域および側縁下端域の接合部によって、側縁上端域および側縁下端域に分解される。側縁上端域に分解された力は腰周りを引っ張ることになり、また、側縁下端域に分解された力は脚周りを引っ張ることになるので、オムツを着用したときに着用者の腰周りおよび脚周りにフィットすることになる。
【００４０】
（１３）  オムツ本体の長手方向端部に沿ってサイドフラップの側縁を固定して、該固定部より前記オムツ本体の幅方向外側で、前記サイドフラップの側縁上端域および側縁下端域のいずれか１個所以上を前記オムツ本体と接合された使い捨てオムツにおいて、該サイドフラップの側縁上端域に位置する第１接合部と側縁下端域に位置する第２接合部の長さ寸法を調整して、オムツを装着したときの腰周りおよび脚周りのフィット性を調整する方法。
【００４１】
本発明によれば、サイドフラップの側縁に設けられた締結手段を引っ張った際の引っ張り力は、サイドフラップの側縁上端域に位置する第１接合部と側縁下端域に位置する第２接合部とのそれぞれに分解されて、この分解された引っ張り力がそれぞれ腰周りと脚周りとを引っ張ることになる。この引っ張り力の分散は接合部の長さに応じて分散の割合が異なる。すなわち、接合部の長さが長いほど分散される力が大きくなる。このため、腰周りのフィット性を高めたい場合には、サイドフラップの側縁上端域に位置する第１接合部の長さを側縁下端域に位置する第２接合部の長さより長くすることにより、第１接合部への引っ張り力の分散の割合が多くなり、腰周りを引っ張る力が大きくなることになる。このように、腰周りや脚周りのフィット性を適宜調整することが可能となる。
【００４２】
（１４）  オムツ本体の長手方向端部に沿ってサイドフラップの側縁を固定して、該固定部よりオムツ本体の幅方向外側で、サイドフラップの側縁上端域および側縁下端域のいずれか１個所以上を前記オムツ本体と接合させる使い捨てオムツにおいて、前記サイドフラップの側縁上端域に位置する第１接合部と前記側縁下端域に位置する第２接合部の前記オムツ本体の幅方向における固定位置を調整して、オムツを装着したときの腰周りおよび脚周りのフィット性を調整する方法。
【００４３】
本発明によれば、サイドフラップの側縁に設けられた締結手段を引っ張った際の引っ張り力は、サイドフラップの側縁上端域に位置する第１接合部と側縁下端域に位置する第２接合部とのそれぞれに分解されて、この分解された引っ張り力がそれぞれ腰周りと脚周りとを引っ張ることになる。この引っ張り力の分散は接合部の位置に応じて分散の割合が異なり、締結手段から接合部までの間の距離が短い方が分散される力の割合が大きくなる。このため、例えば、第１接合部が第２接合部よりもオムツ本体の幅方向外側に設けられると、オムツを引っ張る力は腰周りに効果的に集中されるので、腰周りがよりフィットすることになる。このように、サイドフラップの側縁上端域に位置する第１接合部の位置と側縁下端域に位置する第２接合部の位置を変化させることにより、第１接合部および第２接合部への引っ張り力の分散の割合が異なることになり、腰周りおよび脚周りを引っ張る力がそれに応じて変化することになるので、腰周りや脚周りのフィット性を適宜調整設定調整することが可能となる。
【００４４】
【発明を実施するための形態】
以下、本発明の実施の実施形態について、図に基づいて詳細に説明する。
【００４５】
[第１の実施形態]
図１は、本発明に係る使い捨てオムツの第１の実施形態の展開図であって、身体側面（着用者の肌と接する面）を観察者の方に向けた図であり、図２は、第１の実施形態の使い捨てオムツにおいて、締結手段を引っ張った際の引っ張り力の挙動を示す図である。また、図３は、サイドフラップとオムツ本体とが固定部のみで固定された使い捨てオムツ（従来の使い捨てオムツ）において、締結手段を引っ張った際の引っ張り力の挙動を示す図である。
【００４６】
図１に示すように、本発明の使い捨てオムツ１は第１の腰領域ａと股間部領域ｂと第２の腰領域ｃとを有している。そして、オムツ本体２と、第１の腰領域ａで長手方向端部近傍においてオムツ本体２の幅方向（図中の横方向中心線Ｈ−Ｈ'方向）に延びる一対のサイドフラップ１１と、各サイドフラップ１１の側縁に設けられた１対の締結手段８とから構成されている。
【００４７】
オムツ本体２は、略長方形状の形状であって、着用者の肌に接する液透過性のトップシート４と、衣服側面となる液不透過性のバックシート５と、これらシートに内包され全体形状がほぼ長方形、砂時計型等の形状の吸収体３と、この吸収体３のほぼ両側部分でトップシート４面に設けられた立体ギャザー６と、この立体ギャザー６の長手方向（図中の縦方向中心線Ｌ−Ｌ'方向）に沿って配置され立体ギャザー６に伸縮性を付与する弾性部材９と、で構成されている。トップシート４とバックシート５は、吸収体３よりも大きな長さと幅であり、吸収体３の縁を超えて外側に延び、少なくとも股間部領域ｂにレッグギャザー７が形成され、このレッグギャザー７に伸縮性を付与するための弾性部材９が配置されている。
【００４８】
また、サイドフラップ１１はオムツ本体２と連続した部材ではなく、別部材としてオムツ本体２の背側（第１の腰領域ａ）に配置されている。尚、これは腹側（第２の腰領域ｃ）に配置されていてもよい。
【００４９】
そして、このサイドフラップ１１は、サイドフラップ固定部１４でオムツ本体２と固定されている。更に、サイドフラップ１１は側縁上端域１２および側縁下端域１３の２箇所でオムツ本体２と接合され、それぞれ第１接合部１５および第２接合部１６を形成している。サイドフラップ１１の第１接合部１５と第２接合部１６とは、略同一の長さであって、使い捨てオムツ１の長手方向（図中の縦方向中心線Ｌ−Ｌ'方向）に離間して設けられ、かつ、サイドフラップ固定部１４よりもオムツ本体２の幅方向外側でオムツ本体２と接合されている。また、サイドフラップ１１の第１接合部１５の長さＬ４と第２接合部１６の長さＬ５は略同じ長さである。
【００５０】
サイドフラップ１１とオムツ本体２とを接合するサイドフラップ固定部１４、サイドフラップ１１の第１接合部１５および第２接合部１６は、ヒートシール、ソニックシール、ホットメルト接着剤等の加熱・圧着による熱的手法によりトップシート４とバックシート５との間に接合されている。尚、このサイドフラップ１１は、トップシート４とバックシート５との間に挟まれるように配置されているが、オムツ本体２のバックシート５の表面（反身体面で衣服面側）に配置してもよい。また、トップシート４の表面（身体面側）に配置してもよいが、サイドフラップ１１のエッジ部分が身体に触れるため、エッジ部分を極く柔らかくする等の配慮が必要である。
【００５１】
このサイドフラップ固定部１４は、サイドフラップ１１の内側縁部がレッグギャザー７の延長線上あるいはレッグギャザー７よりもオムツ本体２の幅方向内側（オムツ本体２の縦方向中心線Ｌ−Ｌ'側）に位置する様にして取り付けられている。一方、サイドフラップ１１の第１接合部１５および第２接合部１６は、サイドフラップ固定部１４のオムツ本体２の幅方向外方で、かつ、レッグギャザー７の延長線上よりもオムツ本体２の幅方向外側に固定部１４とは離間して取り付けられている。好ましくは、サイドフラップ固定部１４はレッグギャザー７の延長線上に設け、サイドフラップ１１の第１接合部１５および第２接合部１６はオムツ本体２の長手の側縁近傍に設けるのがよい。
【００５２】
上記吸収体３は尿等の排泄物の液体を吸収して保持する機能を有するもので、嵩高であり、型崩れし難く、化学的刺激が少ないものであることが好ましい。一般にはパルプ、化学パルプ、レーヨン、アセテート、天然コットン、高分子吸収体、繊維状高分子吸収体、合成繊維を単独又はこれらを混合した物が使用できる。吸収体３の形状および構造は、必要に応じて変えることができるが、吸収体３の全吸収量は、オムツとしての設計挿入量および所望の用途に対応させる必要がある。また、吸収体３のサイズや吸収能力等は、子供から成人までの着用者に対応して変動される。
【００５３】
上記バックシート５は、吸収体３に吸収された排泄物が外へ漏れ出すのを防止できるものを使用することが好ましい。また、透湿性素材とすることにより、装着時のムレを低減させることができ、装着時における不快感を低減させることが可能となる。このような材料としては、例えば、合成樹脂を膜化したシート状フィルム、無機フィラーを充填させて延伸処理を施すことにより得られる通気フィルム、紙、不織布とフィルムを複合したラミネート物、１０〜３０％の開孔を有し孔径が０．１〜０．６ｍｍの範囲で、毛細管を吸収体側に向かうように配置することにより得られる通気性液遮断シート等を使用することができる。また、好ましくは、布様外観を生じるようにエンボス加工された熱加工性フィルムである。
【００５４】
上記トップシート４は、液親水性であり、肌に刺激を与えない材料が使用される。このようなものとしては、メルトブローン、スパンボンド、ポイントボンド、スルーエアー、ポイントボンド、ニードルパンチ、湿式，湿式スパンレース、フォームフィルム等の製造方法から得られる不織布を単独又はこれらを複合した材料が挙げられる。また、繊維状シートとしては、レーヨン、アセテート、コットン、パルプ又は合成樹脂を成分としたものを単独又は芯鞘構造を成すように複合したものを単独又は混合した繊維をシート化したものが挙げられる。
【００５５】
上記サイドフラップ１１に用いられる素材は、不織布であって、伸縮性を有するものであっても、伸縮性を有さないものであってもよい。
【００５６】
伸縮性を有する不織布としては、少なくとも１層の伸縮性シートと１層の不織布で形成されたものであり、その複合はラミネート、熱、ソニック、機械接合等により行われている。伸縮性シートは、エラストマーとしてポリウレタン、スチレン−ブタジエン−スチレンブロック共重合体（ＳＢＳ）、スチレン−ブタジエン−エチレン−スチレンブロック共重合体（ＳＢＥＳ）、スチレン−イソプレン−スチレンブロック共重合体（ＳＩＳ）など高分子重合体でシート化されたものやこれらの高分子重合体で形成されたネット、あるいは糸状弾性体である。不織布としては、スパンボンド、ポイントボンド、スルーエアーボンド、ケミカルボンド、メルトブローン、スパンレース、ニードルパンチなどにより作製された不織布であり、その繊維としてはポリオレフィン系、ポリエステル系、ポリアミド系、あるいはポリエチレン・ポリプロピレンやポリエチレン・ポリエステルで形成されたシースコア型複合繊維または、サイドバイサイド型複合繊維が使用可能である。尚、この伸縮性シートと不織布の複合は、加熱・圧着による接合一体化する方法の他に、超音波処理、ホットメルト、ニードルパンチ、高圧液体流処理等で交絡することも可能である。
【００５７】
尚、上記の伸縮性シートとしては、具体的には弾性的に伸縮可能な繊維の集合体であって、少なくとも、一方向に弾性的に伸張可能であり、繊維径０．１〜５０μｍ、好ましくは０．５〜３０μｍを有し、前述のスチレン系エラストマー、ウレタン等の熱可塑性弾性高分子で形成された長繊維であり、これらの繊維の集合体としてはスパンボンドやメルトブロー法等の直接紡糸法によって連続的に押出されて成る多数状の連続繊維である。また、弾性糸から成るサーマルボンド不織布や熱可塑性弾性高分子からなるフィルム等も用いることができる。
【００５８】
参考までに、具体的な伸縮性サイドフラップとしては、３層からなっており、２枚の目付５〜５０ｇ／ｍ２の不織布で、目付１００〜２００ｇ／ｍ２の伸縮性を有するフィルムをはさむ構成になって、超音波融着によってエンボス接合されているものが挙げられる。この伸縮性サイドフラップは、伸縮性が、１００％伸張２サイクル目の戻り応力で、７５％伸張時に９００〜１９００ｍＮ、５０％伸張時に５００〜１５００ｍＮ、３０％伸張時に１００〜１０００ｍＮの応力特性を有している。
【００５９】
一方、非伸縮性不織布としては、スパンボンド、ポイントボンド、スルーエアボンド、ケミカルボンド、メルトブローン、スパンレース、ニードルパンチなどの不織布であり、その繊維としてはポリオレフィン系、ポリエステル系、ポリアミド系、あるいはポリエチレン・ポリプロピレンやポリエチレン・ポリエステルで形成されたシースコア型複合繊維または、サイドバイサイド型複合繊維が使用可能である。この伸張可能な連続繊維の集合体であって、伸縮性シートが伸長する方向へ非弾性的に伸長可能である不織布の代表的な例としては、連続繊維の繊維径が０．１〜５０μｍであり、望ましくは５〜３０μｍであり、ポリエチレン、ポリプロピレン、エチレン−プロピレン共重合体、エチレン−プロピレン−プテン共重合体、また、これらの高分子材料が２種類以上の混合物およびこれらの複合繊維から形成されたものである。不織布の目付は２〜１００ｇ／ｍ２であり、望ましくは、７〜２０ｇ／ｍ２であり、その集合体は一般的なメルトブローン法やスパンボンド法等の直接紡糸法によって連続的に押出されてなる多数状の連続繊維を一方向へ走行するベルトコンベアに不規則に堆積させることによって得ることができる。
【００６０】
上記締結手段８は、使い捨てオムツ１を装着する際に、使い捨てオムツ１が落ちないように腰周り部分に止着するものであって、細長の長方形状の不織布からなるファスニングテープ基材にフックテープ（雄係合片）を一部分に貼り付けた構成のものであり、ファスニングテープ基材のフックテープが貼り付けられた裏面側の一方の端部分がサイドフラップ１１に接合・固定されている。その接合・固定は前述の不織布の複合において説明したラミネート、熱、ソニック、機械接合等により行われている。この締結手段８としては、スパンボンドやポイントボンドによる不織布（例えば目付８０ｇ／ｍ２）をファスニングテープ基材として、この基材の片面に面ファスナー（雄係合片）を貼り付けたものを用いることができる。
【００６１】
次に、この使い捨てオムツ１において、締結手段８を引っ張った際の引っ張り力の挙動について、図２および図３により説明する。
【００６２】
図２は、本発明に係る使い捨てオムツにおいて、締結手段８を引っ張った際の引っ張り力の挙動を示す図であり、図３は、サイドフラップ１１とオムツ本体２とが固定部１４のみで固定された使い捨てオムツ（従来の構成のオムツ）において、締結手段８を引っ張った際の引っ張り力の挙動を示す図である。
【００６３】
使い捨てオムツ１を装着する時、締結手段８は装着者によって引っ張り力Ａを加えられた状態でオムツ本体２と固定され、着用者の身体にフィットすることになる。
【００６４】
使い捨てオムツ１では、図１、図２に示すように、サイドフラップ１１がサイドフラップ固定部１４でオムツ本体２と固定され、更に、サイドフラップ１１の第１接合部１５および第２接合部１６の２箇所でオムツ本体２と接合され、これらの接合部１５，１６の長さＬ４，Ｌ５は、略同一の長さであって、サイドフラップ固定部１４よりもオムツ本体２の幅方向外側でオムツ本体２と接合されている。この構成において、締結手段８に加えられた引っ張り力Ａは、図２に示すように、サイドフラップ１１の側縁上端域１２に連動する力Ｂと側縁下端域１３に連動する力Ｃは略同程度の大きさに分かれて、各々サイドフラップ１１の第１接合部１５および第２接合部１６に作用する。
【００６５】
これによって、締結手段８に加えられた引っ張り力Ａは、サイドフラップ１１の側縁上端域１２と側縁下端域１３に略同じ大きさに分かれて、オムツ着用者の腰周りと脚周りに略同じ力で効果的に、かつ直接的に集中される。
【００６６】
これにより、腰周りおよび脚周りのフィット性を向上することになり、オムツ開口部と身体の隙間を埋めて排泄物が漏れ難くすることができる。
【００６７】
一方、従来の構成の使い捨てオムツの場合は、図３に示すように、締結手段８に加えられた引っ張り力ＡはＡ'としてオムツ本体２に連動され、着用者の腰周りを全体的にかつ一様に覆うことになり、脚周りのフィット性に劣り、排泄物が漏れる虞がある。
【００６８】
[第２の実施形態]
図４は、本発明に係る第２の実施形態の展開図であって、身体側面（着用者の肌と接する面）を観察者の方に向けた図あり、図５は、第２の実施形態の使い捨てオムツにおいて、締結手段を引っ張った際の引っ張り力の挙動を示す図である。尚、以下の実施形態では第１の実施形態と同一の構成要素には同一符号を付して、その重複する説明を省略する。
【００６９】
この第２の実施形態は、前述の第１の実施形態において、オムツ本体２の長手方向端部に沿って配置されたサイドフラップ１１の第１接合部１５と第２接合部１６について、接合部１５，１６の長さを違えたものである。すなわち、図４に示すように、第１接合部１５の長さＬ４を第２接合部１６の長さＬ５より短くしたものである。
【００７０】
この使い捨てオムツ１は第１の実施形態と同様に第１の腰領域ａと股間部領域ｂと第２の腰領域ｃとを有している。そして、オムツ本体２と、第１の腰領域ａで長手方向端部近傍においてオムツ本体２の幅方向（図中の横方向中心線Ｈ−Ｈ'方向）に延びる一対のサイドフラップ１１と、各サイドフラップ１１の側縁に設けられた一対の締結手段８とから構成されている。
【００７１】
オムツ本体２は、着用者の肌に接する液透過性のトップシート４と、衣服側面となる液不透過性のバックシート５と、これらシートに内包され全体形状がほぼ長方形、砂時計型等の形状の吸収体３と、この吸収体３のほぼ両側部分でトップシート４面に設けられた立体ギャザー６と、この立体ギャザー６の長手方向（図中の縦方向中心線Ｌ−Ｌ'方向）に沿って配置され立体ギャザー６に伸縮性を付与する弾性部材９と、で構成されている。トップシート４とバックシート５は、吸収体３よりも大きな長さと幅であり、吸収体３の縁を超えて外側に延び、少なくとも股間部領域ｂにレッグギャザー７が形成され、このレッグギャザー７に伸縮性を付与するための弾性部材９が配置されている。
【００７２】
また、サイドフラップ１１はおむつ本体２と連続した部材ではなく、別部材としてオムツ本体２の腹側（第１の腰領域ａ）に配置されている。尚、これは背側（第２の腰領域ｃ）に配置されていてもよい。
【００７３】
そして、このサイドフラップ１１は、サイドフラップ固定部１４でオムツ本体２と固定されている。更に、サイドフラップ１１は側縁上端域１２および側縁下端域１３の２箇所でオムツ本体２と接合され、それぞれ第１接合部１５および第２接合部１６を形成している。このサイドフラップ１１の第１接合部１５と第２接合部１６とは、オムツ１の長手方向（縦方向中心線Ｌ−Ｌ'方向）に離間して設けられ、かつ、サイドフラップ固定部１４よりオムツ本体２の幅方向外側でオムツ本体２と接合されている。また、サイドフラップ１１の第１接合部１５と第２接合部１６の長さは第１の実施形態と違って、サイドフラップ１１の第１接合部１５の長さＬ４方が第２接合部１６の長さＬ５より短い寸法で形成されている。
【００７４】
尚、このサイドフラップ１１は、トップシート４とバックシート５との間に挟まれるように配置されているが、オムツ本体２のバックシート５の表面（反身体面で衣服面側）に配置してもよい。また、サイドフラップ１１とオムツ本体２とを接合する方法、サイドフラップ固定部１４の位置、および使い捨てオムツ１を構成する部材に用いられる素材等は、第１の実施形態と同様であるので省略する。
【００７５】
次に、この第２の実施形態の使い捨てオムツ１において、締結手段８を引っ張った際の引っ張り力の挙動について、図５により説明する。
【００７６】
本発明の使い捨てオムツ１では、図４、図５に示すように、サイドフラップ１１がサイドフラップ固定部１４でオムツ本体２と固定され、更に、サイドフラップ１１の第１接合部１５および第２接合部１６の２箇所でオムツ本体２と接合され、第１接合部１５の長さＬ４が第２接合部１６の長さＬ５よりも短い寸法で、サイドフラップ固定部１４よりもオムツ本体２の幅方向外側でオムツ本体２と接合されている。この構成において、締結手段８に加えられた引っ張り力Ａは、図５に示すように、側縁上端域１２に連動する力Ｂに対し側縁下端域１３に連動する力Ｃの方が大きい形で側縁上端域１２に連動する力Ｂと側縁下端域１３に連動する力Ｃとに分かれて、各々第１接合部１５および第２接合部１６に作用する。
【００７７】
これによって、締結手段８に加えられた引っ張り力Ａは、脚周りが腰周りより効果的に、且つ集中的に引っ張られるように作用するので、着用者の脚周りがよりフィットすることになる。
【００７８】
[第３の実施形態]
図６は、本発明に係る第３の実施形態の展開図であって、身体側面（着用者の肌と接する面）を観察者の方に向けた図であり、図７は、第３の実施形態の使い捨てオムツにおいて、締結手段を引っ張った際の引っ張り力の挙動を示す図である。尚、以下の実施形態では第１の実施形態と同一の構成要素には同一符号を付して、その重複する説明を省略する。
【００７９】
この第３の実施形態は、前述の第２の実施形態において、オムツ本体２の長手方向端部に沿って配置されたサイドフラップ１１の接合部１５，１６の長さの違いを逆にしたものである。すなわち、図６に示すように、第１接合部１５の長さＬ４が第２接合部１６の長さＬ５より長くしたものである。
【００８０】
この使い捨てオムツ１は、第１の実施形態と同様に、第１の腰領域ａと股間部領域ｂと第２の腰領域ｃとを有している。そして、オムツ本体２と、第１の腰領域ａで長手方向端部近傍においてオムツ本体２の幅方向（図中の横方向中心線Ｈ−Ｈ'方向）に延びる一対のサイドフラップ１１と、各サイドフラップ１１の側縁に設けられた一対の締結手段８とから構成されている。
【００８１】
オムツ本体２は、着用者の肌に接する液透過性のトップシート４と、衣服側面となる液不透過性のバックシート５と、これらシートに内包され全体形状がほぼ長方形、砂時計型等の形状の吸収体３と、この吸収体３のほぼ両側部分でトップシート４面に設けられた立体ギャザー６と、この立体ギャザー６の長手方向（図中の縦方向中心線Ｌ−Ｌ'方向）に沿って配置され立体ギャザー６に伸縮性を付与する弾性部材９と、で構成されている。トップシート４とバックシート５は、吸収体３よりも大きな長さと幅であり、吸収体３の縁を超えて外側に延び、少なくとも股間部領域ｂにレッグギャザー７が形成され、このレッグギャザー７に伸縮性を付与するための弾性部材９が配置されている。
【００８２】
また、サイドフラップ１１はオムツ本体２と連続した部材ではなく、別部材としてオムツ本体２の腹側（第１の腰領域ａ）に配置されている。尚、これは背側（第２の腰領域ｃ）に配置されていてもよい。
【００８３】
そして、このサイドフラップ１１は、サイドフラップ固定部１４でオムツ本体２と固定されている。更に、サイドフラップ１１は側縁上端域１２および側縁下端域１３の２箇所でオムツ本体２と接合され、それぞれ第１接合部１５および第２接合部１６を形成している。このサイドフラップ１１の第１接合部１５と第２接合部１６とは、使い捨てオムツ１の長手方向（縦方向中心線Ｌ−Ｌ'方向）に離間して設けられ、かつ、サイドフラップ固定部１４よりオムツ本体２の幅方向外側でオムツ本体２と接合されている。また、サイドフラップ１１の第１接合部１５と第２接合部１６の長さは、第１、第２の実施形態と違って、サイドフラップ１１の第１接合部１５の長さＬ４が第２接合部１６の長さＬ５より長い寸法で形成されている。
【００８４】
尚、このサイドフラップ１１は、トップシート４とバックシート５との間に挟まれるように配置されているが、オムツ本体２のバックシート５の表面（反身体面で衣服面側）に配置してもよい。また、サイドフラップ１１とオムツ本体２とを接合する方法、サイドフラップ固定部１４の位置、および使い捨てオムツ１を構成する部材に用いられる素材等は、第１の実施形態と同様であるので省略する。
【００８５】
次に、この第３の実施形態の使い捨てオムツ１において、締結手段８を引っ張った際の引っ張り力の挙動について、図７により説明する。
【００８６】
本発明の使い捨てオムツ１では、図６、図７に示すように、サイドフラップ１１がサイドフラップ固定部１４でオムツ本体２と固定され、更に、サイドフラップ１１の第１接合部１５および第２接合部１６の２箇所でオムツ本体２と接合され、第１接合部１５の長さＬ４が第２接合部１６の長さＬ５よりも長い寸法で、サイドフラップ固定部１４よりもオムツ本体２の幅方向外側でオムツ本体２と接合されている。この構成において、締結手段８に加えられた引っ張り力Ａは、図７に示すように、サイドフラップ１１の側縁上端域１２に連動する力Ｂの方がサイドフラップ１１の側縁下端域１３に連動する力Ｃよりも大きい形で側縁上端域１２に連動する力Ｂと側縁下端域１３に連動する力Ｃとに分かれて、各々第１接合部１５および第２接合部１６に作用する。
【００８７】
これによって、締結手段８に加えられた引っ張り力Ａは、腰周りが脚周りより効果的に、且つ集中的に引っ張られるように作用するので、着用者の腰周りがよりフィットすることになる。
【００８８】
[第４の実施形態]
図８は、本発明に係る第４の実施形態の展開図であって、身体側面（着用者の肌と接する面）を観察者の方に向けた図であり、図９は、第４の実施形態の使い捨てオムツにおいて、締結手段を引っ張った際の引っ張り力の挙動を示す図である。尚、以下の実施形態では第１の実施形態と同一の構成要素には同一符号を付して、その重複する説明を省略する。
【００８９】
この第４の実施形態は、前述の第１の実施形態において、オムツ本体２の長手方向端部に沿って配置されたサイドフラップ１１の第１接合部１５および第２接合部１６の内、第２接合部１６のみとしたものである。すなわち、図８に示すように、サイドフラップ１１の側縁上端域１２には接合部（第１接合部１５）が存在せず、サイドフラップ１１の側縁下端域１３に第２接合部１６を設けたものである。
【００９０】
この使い捨てオムツ１は、第１の実施形態と同様に第１の腰領域ａと股間部領域ｂと第２の腰領域ｃとを有している。そして、オムツ本体２と、第１の腰領域ａで長手方向端部近傍においてオムツ本体２の幅方向（図中の横方向中心線Ｈ−Ｈ'方向）に延びる一対のサイドフラップ１１と、各サイドフラップ１１の側縁に設けられた一対の締結手段８とから構成されている。
【００９１】
オムツ本体２は、着用者の肌に接する液透過性のトップシート４と、衣服側面となる液不透過性のバックシート５と、これらシートに内包され全体形状がほぼ長方形、砂時計型等の形状の吸収体３と、この吸収体３のほぼ両側部分でトップシート４面に設けられた立体ギャザー６と、この立体ギャザー６の長手方向（図中の縦方向中心線Ｌ−Ｌ'方向）に沿って配置され立体ギャザー６に伸縮性を付与する弾性部材９と、で構成されている。トップシート４とバックシート５は、吸収体３よりも大きな長さと幅であり、吸収体３の縁を超えて外側に延び、少なくとも股間部領域ｂにレッグギャザー７が形成され、このレッグギャザー７に伸縮性を付与するための弾性部材９が配置されている。
【００９２】
また、サイドフラップ１１はオムツ本体２と連続した部材ではなく、別部材としてオムツ本体２の腹側（第１の腰領域ａ）に配置されている。尚、これは背側（第２の腰領域ｃ）に配置されていてもよい。
【００９３】
そして、このサイドフラップ１１は、サイドフラップ固定部１４でオムツ本体２と固定されている。更に、サイドフラップ１１は側縁下端域１３でオムツ本体２と接合され、サイドフラップ１１の第２接合部１６を形成している。このサイドフラップ１１の第２接合部１６は、サイドフラップ固定部１４より外側でオムツ本体２の幅方向（図中の横方向中心線Ｈ−Ｈ'方向）でオムツ本体２の側縁に位置している。
【００９４】
尚、このサイドフラップ１１は、トップシート４とバックシート５との間に挟まれるように配置されているが、オムツ本体２のバックシート５の表面（反身体面で衣服面側）に配置してもよい。また、サイドフラップ１１とオムツ本体２とを接合する方法、サイドフラップ固定部１４の位置、および使い捨てオムツ１を構成する部材に用いられる素材等は、第１の実施形態と同様であるので省略する。
【００９５】
次に、この第４の実施形態の使い捨てオムツ１において、締結手段８を引っ張った際の引っ張り力の挙動について、図９により説明する。
【００９６】
本発明の使い捨てオムツ１では、図８、図９に示すようにサイドフラップ１１がサイドフラップ固定部１４でオムツ本体２と固定され、更に、サイドフラップ１１の第２接合部１６でオムツ本体２と接合され、この第２接合部１６は、サイドフラップ固定部１４より外側でオムツ本体２の幅方向（図中の縦方向中心線Ｈ−Ｈ'方向）でオムツ本体２の側縁に位置している。このため、図９に示すようにサイドフラップ１１の第２接合部１６と締結手段８との間隔寸法（以下、サイドフラップ１１の第２接合部１６と締結手段８との間の有効長と称する）Ｌ３の方がサイドフラップ固定部１４と締結手段８との間隔寸法（以下、サイドフラップ固定部１４と締結手段８との間の有効長と称する）Ｌ１より短い寸法となっている。この構成において、締結手段８に加えられた引っ張り力Ａは、図９に示すように、サイドフラップ１１の側縁上端域１２に連動する力Ｂの方が側縁下端域１３に連動する力Ｃよりも小さい形で側縁上端域１２に連動する力Ｂと側縁下端域１３に連動する力Ｃとに分かれて、各々サイドフラップ固定部１４の上方域およびサイドフラップ１１の第２接合部１６に作用する。
【００９７】
これによって、締結手段８に加えられた引っ張り力Ａは、脚周りが腰周りより効果的に、且つ集中的に引っ張られるように作用するので、着用者の脚周りがよりフィットすることになる。
【００９８】
[第５の実施形態]
図１０は、本発明に係る第５の実施形態の展開図であって、身体側面（着用者の肌と接する面）を観察者の方に向けた図であり、図１１は、第５の実施形態の使い捨てオムツにおいて、締結手段を引っ張った際の引っ張り力の挙動を示す図である。尚、以下の実施形態では第１の実施形態と同一の構成要素には同一符号を付して、その重複する説明を省略する。
【００９９】
この第５の実施形態は、前述の第４の実施形態において、オムツ本体２の長手方向端部に沿って配置されたサイドフラップ１１の側縁下端域１３に設けられた第２接合部１６の代わりに、側縁上端域１２に第１接合部１５を設けたものである。すなわち、図１０に示すように、サイドフラップ１１の側縁下端域１３には接合部（第２接合部１６）が存在せず、サイドフラップ１１の側縁上端域１２に第１接合部１５を設けたものである。
【０１００】
この使い捨てオムツ１は、第１の実施形態と同様に第１の腰領域ａと股間部領域ｂと第２の腰領域ｃとを有している。そして、オムツ本体２と、第１の腰領域ａで長手方向端部近傍においてオムツ本体２の幅方向（図中の横方向中心線Ｈ−Ｈ'方向）に延びる一対のサイドフラップ１１と、各サイドフラップ１１の側縁に設けられた一対の締結手段８とから構成されている。
【０１０１】
オムツ本体２は、着用者の肌に接する液透過性のトップシート４と、衣服側面となる液不透過性のバックシート５と、これらシートに内包され全体形状がほぼ長方形、砂時計型等の形状の吸収体３と、この吸収体３のほぼ両側部分でトップシート４面に設けられた立体ギャザー６と、この立体ギャザー６の長手方向（図中の縦方向中心線Ｌ−Ｌ'方向）に沿って配置され立体ギャザー６に伸縮性を付与する弾性部材９と、で構成されている。トップシート４とバックシート５は、吸収体３よりも大きな長さと幅であり、吸収体３の縁を超えて外側に延び、少なくとも股間部領域ｂにレッグギャザー７が形成され、このレッグギャザー７に伸縮性を付与するための弾性部材９が配置されている。
【０１０２】
また、サイドフラップ１１はオムツ本体２と連続した部材ではなく、別部材としてオムツ本体２の腹側（第１の腰領域ａ）に配置されている。尚、これは背側（第２の腰領域ｃ）に配置されていてもよい。
【０１０３】
そして、このサイドフラップ１１は、サイドフラップ固定部１４でオムツ本体２と固定されている。更に、サイドフラップ１１は側縁上端域１２でオムツ本体２と接合され、第１接合部１５を形成している。サイドフラップ１１の第１接合部１５は、オムツ本体２の幅方向（横方向中心線Ｈ−Ｈ'方向）でオムツ本体２の側縁に位置している。
【０１０４】
尚、このサイドフラップ１１は、第１の実施形態と同様にオムツ本体２のバックシート５の表面（反身体面で衣服面側）に配置されているが、トップシート４とバックシート５とに挟まれるように配置してもよい。また、サイドフラップ１１とオムツ本体２とを接合する方法、サイドフラップ固定部１４の位置、および使い捨てオムツ１を構成する部材に用いられる素材等は、第１の実施形態と同様であるので省略する。
【０１０５】
次に、この第５の実施形態の使い捨てオムツ１において、締結手段８を引っ張った際の引っ張り力の挙動について、図１１により説明する。
【０１０６】
本発明の使い捨てオムツ１では、図１０、図１１に示すように、サイドフラップ１１がサイドフラップ固定部１４でオムツ本体２と固定され、更に、サイドフラップ１１は側縁上端域１２でオムツ本体２と接合され、第１接合部１５を形成している。このサイドフラップ１１の第１接合部１５は、サイドフラップ固定部１４より外側でオムツ本体２の幅方向（図中の縦方向中心線Ｈ−Ｈ'方向）でオムツ本体２の側縁に位置している。このため、図１１に示すようにサイドフラップ１１の第１接合部１５と締結手段８との間の有効長Ｌ２の方がサイドフラップ固定部１４と締結手段８との間の有効長Ｌ１より短い寸法となっている。この構成において、締結手段８に加えられた引っ張り力Ａは、サイドフラップ１１の側縁上端域１２に連動する力Ｂの方が側縁下端域１３に連動する力Ｃよりも大きい形で側縁上端域１２に連動する力Ｂと側縁下端域１３に連動する力Ｃとに分かれて、各々第１接合部１５およびサイドフラップ固定部１４の下方域に作用する。
【０１０７】
これによって、締結手段８に加えられた引っ張り力Ａは、腰周りが脚周りより効果的に、且つ集中的に引っ張られるように作用するので、着用者の腰周りがよりフィットすることになる。
【０１０８】
[第６の実施形態]
図１２は、本発明に係る第６の実施形態の展開図であって、身体側面（着用者の肌と接する面）を観察者の方に向けた図であり、図１３は、第６の実施形態の使い捨てオムツにおいて、締結手段を引っ張った際の引っ張り力の挙動を示す図である。尚、以下の実施形態では第１の実施形態と同一の構成要素には同一符号を付して、その重複する説明を省略する。
【０１０９】
この第６の実施形態は、前述の第１の実施形態において、オムツ本体２の長手方向端部に沿って配置されたサイドフラップ１１の接合部１５，１６が設けられる位置を変えたものである。すなわち、図１２に示すように、サイドフラップ１１の第１接合部１５はサイドフラップ固定部１４より外側でサイドフラップ固定部１４の近傍に設けられ、第２接合部１６はオムツ本体２の幅方向（横方向中心線Ｈ−Ｈ'方向）外側でオムツ本体２の側縁に設けられたものである。
【０１１０】
この使い捨てオムツ１は、第１の実施形態と同様に第１の腰領域ａと股間部領域ｂと第２の腰領域ｃとを有している。そして、オムツ本体２と、第１の腰領域ａで長手方向端部近傍においてオムツ本体２の幅方向（図中の横方向中心線Ｈ−Ｈ'方向）に延びる一対のサイドフラップ１１と、各サイドフラップ１１の側縁に設けられた一対の締結手段８とから構成されている。
【０１１１】
オムツ本体２は、着用者の肌に接する液透過性のトップシート４と、衣服側面となる液不透過性のバックシート５と、これらシートに内包され全体形状がほぼ長方形、砂時計型等の形状の吸収体３と、この吸収体３のほぼ両側部分でトップシート４面に設けられた立体ギャザー６と、この立体ギャザー６の長手方向（図中の縦方向中心線Ｌ−Ｌ'方向）に沿って配置され立体ギャザー６に伸縮性を付与する弾性部材９と、で構成されている。トップシート４とバックシート５は、吸収体３よりも大きな長さと幅であり、吸収体３の縁を超えて外側に延び、少なくとも股間部領域ｂにレッグギャザー７が形成され、このレッグギャザー７に伸縮性を付与するための弾性部材９が配置されている。
【０１１２】
また、サイドフラップ１１はオムツ本体２と連続した部材ではなく、別部材としてオムツ本体２の腹側（第１の腰領域ａ）に配置されている。尚、これは背側（第２の腰領域ｃ）に配置されていてもよい。
【０１１３】
そして、このサイドフラップ１１は、サイドフラップ固定部１４でオムツ本体２と固定されている。更に、サイドフラップ１１は側縁上端域１２および側縁下端域１３の２箇所でオムツ本体２と接合され、それぞれ第１接合部１５および第２接合部１６を形成している。サイドフラップ１１の第１接合部１５と第２接合部１６とは、略同じ長さであって、使い捨てオムツ１の長手方向（縦方向中心線Ｌ−Ｌ'方向）に離間して設けられ、かつ、サイドフラップ１１の第１接合部１５はサイドフラップ固定部１４より外側でサイドフラップ固定部１４の近傍に位置し、サイドフラップ１１の第２接合部１６はオムツ本体２の幅方向（横方向中心線Ｈ−Ｈ'方向）でオムツ本体２の側縁に位置している。すなわち、サイドフラップ１１の第１接合部１５と締結手段８との間の有効長Ｌ２がサイドフラップ１１の第２接合部１６と締結手段８との間の有効長Ｌ３より長い寸法になるようにして形成されている。
【０１１４】
尚、このサイドフラップ１１は、トップシート４とバックシート５との間に挟まれるように配置されているが、オムツ本体２のバックシート５の表面（反身体面で衣服面側）に配置してもよい。また、サイドフラップ１１とオムツ本体２とを接合する方法、サイドフラップ固定部１４の位置、および使い捨てオムツ１を構成する部材に用いられる素材等は、第１の実施形態と同様であるので省略する。
【０１１５】
次に、この第６の実施形態の使い捨てオムツ１において、締結手段８を引っ張った際の引っ張り力の挙動について、図１３により説明する。
【０１１６】
本発明の使い捨てオムツ１では、図１２、図１３に示すように、サイドフラップ１１がサイドフラップ固定部１４でオムツ本体２と固定され、更に、サイドフラップ１１は側縁上端域１２および側縁下端域１３の２箇所でオムツ本体２と接合され、それぞれ第１接合部１５および第２接合部１６を形成している。サイドフラップ１１の第１接合部１５と第２接合部１６とは、使い捨てオムツ１の長手方向（縦方向中心線Ｌ−Ｌ'方向）に離間して設けられ、かつ、サイドフラップ１１の第１接合部１５はサイドフラップ固定部１４より外側でサイドフラップ固定部１４の近傍に位置し、サイドフラップ１１の第２接合部１６はオムツ本体２の幅方向（横方向中心線Ｈ−Ｈ'方向）外側でオムツ本体２の側縁に位置している。すなわち、図１３に示すように、サイドフラップ１１の第１接合部１５と締結手段８との間の有効長Ｌ２がサイドフラップ１１の第２接合部１６と締結手段８との間の有効長Ｌ３より長い寸法になるようにして接合されている。この構成において、締結手段８に加えられた引っ張り力Ａは、図１３に示すように、サイドフラップ１１の側縁上端域１２に連動する力Ｂの方が側縁下端域１３に連動する力Ｃよりも小さい形で側縁上端域１２に連動する力Ｂと側縁下端域１３に連動する力Ｃとに分かれて、各々第１接合部１５および第２接合部１６に作用する。
【０１１７】
これによって、締結手段８に加えられた引っ張り力Ａは、脚周りが腰周りより効果的に、かつ集中的に引っ張られるように作用するので、着用者の脚周りがよりフィットすることになる。
【０１１８】
[第７の実施形態]
図１４は、本発明に係る第７の実施形態の展開図であって、身体側面（着用者の肌と接する面）を観察者の方に向けた図であり、図１５は、第７の実施形態の使い捨てオムツにおいて、締結手段を引っ張った際の引っ張り力の挙動を示す図である。尚、以下の実施形態では第１の実施形態と同一の構成要素には同一符号を付して、その重複する説明を省略する。
【０１１９】
この第７の実施形態は、前述の第６の実施形態において、オムツ本体２の長手方向端部に沿って配置されたサイドフラップ１１の接合部１５，１６が設けられる位置を逆にしたものである。すなわち、図１４に示すように、サイドフラップ１１の第１接合部１５はオムツ本体２の幅方向（横方向中心線Ｈ−Ｈ'方向）外側でオムツ本体２の側縁に設けられ、第２接合部１６はサイドフラップ固定部１４より外側でサイドフラップ固定部１４の近傍に設けられたものである。
【０１２０】
この使い捨てオムツ１は、第１の実施形態と同様に第１の腰領域ａと股間部領域ｂと第２の腰領域ｃとを有している。そして、オムツ本体２と、第１の腰領域ａで長手方向端部近傍においてオムツ本体２の幅方向（図中の横方向中心線Ｈ−Ｈ'方向）に延びる一対のサイドフラップ１１と、各サイドフラップ１１の側縁に設けられた一対の締結手段８とから構成されている。
【０１２１】
オムツ本体２は、着用者の肌に接する液透過性のトップシート４と、衣服側面となる液不透過性のバックシート５と、これらシートに内包され全体形状がほぼ長方形、砂時計型等の形状の吸収体３と、この吸収体３のほぼ両側部分でトップシート４面に設けられた立体ギャザー６と、この立体ギャザー６の長手方向（図中の縦方向中心線Ｌ−Ｌ'方向）に沿って配置され立体ギャザー６に伸縮性を付与する弾性部材９と、で構成されている。トップシート４とバックシート５は、吸収体３よりも大きな長さと幅であり、吸収体３の縁を超えて外側に延び、少なくとも股間部領域ｂにレッグギャザー７が形成され、このレッグギャザー７に伸縮性を付与するための弾性部材９が配置されている。
【０１２２】
また、サイドフラップ１１はオムツ本体２と連続した部材ではなく、別部材としてオムツ本体２の腹側（第１の腰領域ａ）に配置されている。尚、これは背側（第２の腰領域ｃ）に配置されていてもよい。
【０１２３】
そして、このサイドフラップ１１は、サイドフラップ固定部１４でオムツ本体２と固定されている。更に、サイドフラップ１１は側縁上端域１２および側縁下端域１３の２箇所でオムツ本体２と接合され、それぞれ第１接合部１５および第２接合部１６を形成している。サイドフラップ１１の第１接合部１５と第２接合部１６とは、使い捨てオムツ１の長手方向（縦方向中心線Ｌ−Ｌ'方向）に離間して設けられ、かつ、サイドフラップ１１の第１接合部１５はオムツ本体２の幅方向（横方向中心線Ｈ−Ｈ'方向）外側でオムツ本体２の側縁に位置し、サイドフラップ１１の第２接合部１６はサイドフラップ固定部１４より外側でサイドフラップ固定部１４の近傍に位置している。すなわち、サイドフラップ１１の第１接合部１５と締結手段８との間の有効長Ｌ２がサイドフラップ１１の第２接合部１６と締結手段８との間の有効長Ｌ３より短い寸法になるようにして接合されている。
【０１２４】
尚、このサイドフラップ１１は、トップシート４とバックシート５との間に挟まれるように配置されているが、オムツ本体２のバックシート５の表面（反身体面で衣服面側）に配置してもよい。また、サイドフラップ１１とオムツ本体２とを接合する方法、サイドフラップ固定部１４の位置、および使い捨てオムツ１を構成する部材に用いられる素材等は、第１の実施形態と同様であるので省略する。
【０１２５】
次に、この第７の実施形態の使い捨てオムツ１において、締結手段８を引っ張った際の引っ張り力の挙動について、図１５により説明する。
【０１２６】
本発明の使い捨てオムツ１では、図１４、図１５に示すように、サイドフラップ１１がサイドフラップ固定部１４でオムツ本体２と固定され、更に、サイドフラップ１１は側縁上端域１２および側縁下端域１３の２箇所でオムツ本体２と接合され、それぞれサイドフラップ１１の第１接合部１５および第２接合部１６を形成している。サイドフラップ１１の第１接合部１５と第２接合部１６とは、使い捨てオムツ１の長手方向（縦方向中心線Ｌ−Ｌ'方向）に離間して設けられ、かつ、サイドフラップ１１の第１接合部１５はオムツ本体２の幅方向（横方向中心線Ｈ−Ｈ'方向）外側でオムツ本体２の側縁に位置し、サイドフラップ１１の第２接合部１６はサイドフラップ固定部１４より外側でこのサイドフラップ固定部１４の近傍に位置している。すなわち、図１５に示すように、サイドフラップ１１の第１接合部１５と締結手段８との間の有効長Ｌ２がサイドフラップ１１の第２接合部１６と締結手段８との間の有効長Ｌ３より短い寸法になるようにして接合されている。この構成において、締結手段８に加えられた引っ張り力Ａは、図１５に示すように、サイドフラップ１１の側縁上端域１２に連動する力Ｂの方が側縁下端域１３に連動する力Ｃよりも大きい形でサイドフラップ１１の側縁上端域１２に連動する力Ｂと側縁下端域１３に連動する力Ｃとに分かれて、各々第１接合部１５および第２接合部１６に作用する。
【０１２７】
これによって、締結手段８に加えられた引っ張り力Ａは、腰周りが脚周りより効果的に、かつ集中的に引っ張られるように作用するので、着用者の腰周りがよりフィットすることになる。
【０１２８】
次に、オムツ本体２にサイドフラップ１１を固定および接合するサイドフラップ固定部１４、接合部１５，１６と締結手段８との間の有効長Ｌ１，Ｌ２，Ｌ３および各々の接合部１５，１６の長さＬ４，Ｌ５と各領域に作用する引っ張り応力との関係について測定し、検証した。尚、図１６は、試験体の形状を説明する説明図である。
【０１２９】
[試験方法]
試験体：図１６に示すように、上辺６０ｍｍ、下辺１２５ｍｍ、高さ８５ｍｍの略台形状のサイドフラップ１１をその下辺側をオムツ本体２に固定してサイドフラップ固定部１４を形成し、上辺側には締結手段８を固定して試験体を作製する。尚、サイドフラップ１１の接合部１５，１６の位置や長さは表１に示す試験体のスペックに基づいて設定し、５種類の試験体を作製した。
【０１３０】
測定方法：締結手段８とサイドフラップ固定部１４とをチャックで掴み（チャック間５０ｍｍ）、１００ｍｍ／分の速度で、サイドフラップ１１を伸張長さ３５ｍｍ（有効長Ｌ１に対して約７０％の伸長に相当）まで引っ張り、その際の引っ張り力（以下、最大点応力と称する）を求めた。尚、この試験は試験体毎に２回繰り返して、２回目のサイクルの最大点応力を求めた。
【０１３１】
測定機器：（株）島津製作所製のオートグラフ  型式ＡＧＳ−１ｋＮＧ
【０１３２】
[試験結果および評価]
測定結果を表１に示した。この結果からサイドフラップ１１の接合部１５，１６と締結手段８との間の有効長Ｌ２，Ｌ３およびサイドフラップ１１の接合部１５，１６の長さＬ４，Ｌ５の差異により、締結手段８で引っ張った引っ張り力がサイドフラップ１１の側縁上端域と側縁下端域に作用する応力が異なることがわかる。以下各試験体の試験結果とその評価について説明する。
【０１３３】
【表１】
2004174210.tif 000003
【０１３４】
１）試験体１および試験体２は、サイドフラップ１１の第１接合部１５および第２接合部１６がないもので、締結手段８とサイドフラップ固定部１４との間の有効長Ｌ１が試験体１は５０ｍｍであり、試験体２は３５ｍｍである。このとき、伸張長さ３５ｍｍの最大点応力は表１に示すようにそれぞれ２２．６Ｎと３０．４Ｎである。このことから、締結手段８とサイドフラップ固定部１４との間の有効長Ｌ１が短くなると、最大点応力が高くなることが判る。
【０１３５】
２）試験体３は、サイドフラップ１１の側縁上端域と側縁下端域にサイドフラップ１１の接合部１５，１６をその長さＬ４，Ｌ５がそれぞれ１５ｍｍして設けた場合のもので、締結手段８とサイドフラップ１１の接合部１５，１６との間の有効長Ｌ２，Ｌ３はそれぞれ３５ｍｍであり、締結手段８とサイドフラップ固定部１４との間の有効長Ｌ１は５０ｍｍである。この試験体３の伸張長さ３５ｍｍでの最大点応力は２９．５Ｎとなり、前述の第１の実施形態で説明した図２に示した領域（着用者の腰周りおよび脚周りに相当する）に６．９Ｎ（＝試験体３の最大点応力２９．５Ｎ−試験体１の最大点応力２２．６Ｎ）の応力が効果的にかつ集中的に作用することになる。
【０１３６】
３）試験体４は、試験体３において、サイドフラップ１１の接合部１５，１６の長さＬ４，Ｌ５を５ｍｍにしたもの、すなわち、接合部１５，１６の長さを短くしたものである。この試験体４の伸張長さ３５ｍｍでの最大点応力は２４．８Ｎとなり、前述の第１の実施形態で説明した図２に示した領域（着用者の腰周りおよび脚周りに相当する）に２．２Ｎ（＝試験体４の最大点応力２４．８Ｎ−試験体１の最大点応力２２．６Ｎ）の応力が効果的にかつ集中的に作用することになる。
【０１３７】
この試験体３と試験体４とから、サイドフラップ１１の接合部１５，１６の長さＬ４，Ｌ５を任意に変化させることで、着用者の腰周りおよび脚周りに加わる応力を任意にコントロールすることが可能であることがわかる。すなわち、前述の第２の実施形態および第３の実施形態で説明したように、サイドフラップ１１の第１接合部１５の長さＬ４および第２接合部１６の長さＬ５を違えることにより、着用者の腰周りおよび脚周りのフィット性を違えることができるといえる。
【０１３８】
４）試験体５は、試験体３において、サイドフラップ１１の第２接合部１６を無くしたものである（第４の実施形態に相当する）。この試験体５の伸張長さ３５ｍｍでの最大点応力は２８．６Ｎとなり、６．０Ｎ（＝試験体５の最大点応力２８．６Ｎ―試験体１の最大点応力２２．６Ｎ）の応力がサイドフラップ１１の側縁上端域のみに集中的に作用することになる。
【０１３９】
すなわち、前述の第４の実施形態および第５の実施形態で説明したように、サイドフラップ１１の接合部１５，１６がサイドフラップ１１の側縁上端域または下端域のいずれか一方にある場合には、サイドフラップ１１の接合部１５，１６が在る領域に引っ張り応力が集中的に作用することになる。
【０１４０】
以上のように本発明に係る使い捨てオムツに関して、例を示す図面を参照しつつ具体的に説明したが、本発明はもとより図示例に限定される訳ではなく、前述の趣旨に適合し得る範囲で適当に変更を加えて実施することも可能であり、それらはいずれも本発明の技術的範囲に包含される。例えば、サイドフラップの第１接合部と第２接合部の長さおよび位置の両方を違えたもの他であってもよい。
【０１４１】
【発明の効果】
トップシートと、バックシートと、これら両シートに内包される吸収体とからなるオムツ本体と、このオムツ本体の長手方向端部に沿って配置された一対のサイドフラップと、各サイドフラップの側縁に設けられた締結手段と、を有する使い捨てオムツにおいて、サイドフラップは、サイドフラップ固定部でオムツ本体と接合され、それらの接合部は、少なくともサイドフラップの側縁上端域および側縁下端域において、サイドフラップ固定部より幅方向外側でオムツ本体と固定されている。
【０１４２】
この構成において、締結手段に加えられた引っ張り力Ａは、サイドフラップの側縁上端域に連動する力Ｂとサイドフラップの側縁下端域に連動する力Ｃに分解されるので、締結手段に加えられた引っ張り応力は、サイドフラップの側縁上端域と側縁下端域に分かれて、オムツ着用者の腰周りと脚周りに効果的に、かつ直接的に集中される。
【０１４３】
これにより、腰周りおよび脚周りのフィット性を各々向上させることが可能となるので、オムツ開口部と身体の隙間を埋めて排泄物が漏れ難くすることができる。
【０１４４】
また、サイドフラップの第１接合部および第２接合部の長さや位置を違えることにより、腰周りおよび脚周りのフィット性を調節することができる。例えば、サイドフラップの第１接合部の長さをサイドフラップの第２接合部の長さより長くすることにより、脚周りよりも腰周りの方がフィット性が良くなる。また、サイドフラップの第１接合部の位置をサイドフラップの第２接合部の位置に対して、オムツ本体の外側にすることにより、脚周りよりも腰周りの方がフィット性がよくなる。このように、腰周りおよび脚周りのフィット性をサイドフラップの接合部を適宜選定することによって、任意にコントロールすることが可能である。
【図面の簡単な説明】
【図１】本発明に係る使い捨てオムツの第１の実施形態の展開図であって、身体側面（着用者の肌と接する面）を観察者の方に向けた図である。
【図２】第１の実施形態の使い捨てオムツにおいて、締結手段を引っ張った際の引っ張り力の挙動を示す図である。
【図３】サイドフラップとオムツ本体とが固定部のみで固定された使い捨てオムツ（従来例）において、締結手段を引っ張った際の引っ張り力の挙動を示す図である。
【図４】本発明に係る第２の実施形態の展開図であって、身体側面（着用者の肌と接する面）を観察者の方に向けた図である。
【図５】第２の実施形態に係る使い捨てオムツにおいて、締結手段を引っ張った際の引っ張り力の挙動を示す図である。
【図６】本発明に係る第３の実施形態の展開図であって、身体側面（着用者の肌と接する面）を観察者の方に向けた図である。
【図７】第３の実施形態の使い捨てオムツにおいて、締結手段を引っ張った際の引っ張り力の挙動を示す図である。
【図８】本発明に係る第４の実施形態の展開図であって、身体側面（着用者の肌と接する面）を観察者の方に向けた図である。
【図９】第４の実施形態の使い捨てオムツにおいて、締結手段を引っ張った際の引っ張り力の挙動を示す図である。
【図１０】本発明に係る第５の実施形態の展開図であって、身体側面（着用者の肌と接する面）を観察者の方に向けた図である。
【図１１】第５の実施形態の使い捨てオムツにおいて、締結手段を引っ張った際の引っ張り力の挙動を示す図である。
【図１２】本発明に係る第６の実施形態の展開図であって、身体側面（着用者の肌と接する面）を観察者の方に向けた図である。
【図１３】第６の実施形態の使い捨てオムツにおいて、締結手段を引っ張った際の引っ張り力の挙動を示す図である。
【図１４】本発明に係る第７の実施形態の展開図であって、身体側面（着用者の肌と接する面）を観察者の方に向けた図である。
【図１５】第７の実施形態の使い捨てオムツにおいて、締結手段を引っ張った際の引っ張り力の挙動を示す図である。
【図１６】試験体の形状を説明する説明図である。
【符号の説明】
１  使い捨てオムツ
２  オムツ本体
３  吸収体
４  トップシート
５  バックシート
６  立体ギャザー
７  レッグギャザー
８  締結手段
９  弾性部材
１１  サイドフラップ
１２  側縁上端域
１３  側縁下端域
１４  サイドフラップ固定部
１５  第１接合部
１６  第２接合部
【図１】
2004174210.tif 000004
【図２】
2004174210.tif 000005
【図３】
2004174210.tif 000006
【図４】
2004174210.tif 000007
【図５】
2004174210.tif 000008
【図６】
2004174210.tif 000009
【図７】
2004174210.tif 000010
【図８】
2004174210.tif 000011
【図９】
2004174210.tif 000012
【図１０】
2004174210.tif 000013
【図１１】
2004174210.tif 000014
【図１２】
2004174210.tif 000015
【図１３】
2004174210.tif 000016
【図１４】
2004174210.tif 000017
【図１５】
2004174210.tif 000018
【図１６】
2004174210.tif 000019